(57)【特許請求の範囲】
【請求項１】
建物の外気に接する壁が上方と下方の少なくともいずれかに施工される梁の上の内側に設置した床の縁部の気密構造であって、
前記縁部の外側面に気密シートを当接させると共に、この気密シートの上端部と下端部を前記縁部の上面側と前記梁にそれぞれ取付け、
前記気密シートの下端部と前記梁との間に気密材を介在させたことを特徴とする床縁部の気密構造。
【請求項２】
前記気密シートの上端部と下端部の少なくともいずれかを前記梁の内側面よりも内側へ突出させたことを特徴とする請求項１記載の床縁部の気密構造。
【請求項３】
建物の外気に接する壁が上方と下方の少なくともいずれかに施工される梁の上の外側に設置した床の縁部の気密構造であって、
前記縁部の内側面に気密シートを当接させると共に、この気密シートの上端部と下端部を前記縁部の上面側と前記梁にそれぞれ取付けたことを特徴とする床縁部の気密構造。
【請求項４】
前記気密シートの上端部が前記梁の外側面よりも外側へ突出している構造と、前記気密シートの下端部が前記梁の内側面よりも内側へ突出している構造の少なくともいずれかを有することを特徴とする請求項３に記載の床縁部の気密構造。
【請求項５】
前記気密シートが透湿性を有することを特徴とする請求項１乃至４のいずれか記載の床縁部の気密構造。
【請求項６】
前記気密シートの下端部と前記梁との間に気密材を介在させたことを特徴とする請求項３乃至５のいずれか記載の床縁部の気密構造。
【発明の詳細な説明】
【０００１】
【発明の属する技術分野】
この発明は、建物の外気に接する壁が上方と下方の少なくともいずれかに施工される梁の上に設置した床縁部の気密構造に関する。
【０００２】
【従来の技術】
一般に、建物の１階と２階の間や２階と３階の間等の梁間部のうち、例えば梁と、この梁の上に設置した床の縁部との隙間等においては、建物の気密性を向上するために気密工事が行われるが、この気密工事には溶液状のウレタン樹脂の吹付けによる湿式気密工法が多く採用されている。
【０００３】
【発明が解決しようとする課題】
しかしながら、上記のような湿式気密工法においては、吹付け後のウレタン樹脂から人体に有害の疑いがある塩素系ガスが放散されるので、内装工事を同時進行で行えないという問題点がある。
【０００４】
また、湿式気密工法にはある程度の熟練を要するので、専門工以外の者では施工が困難であるという問題点がある。
【０００５】
この発明は、以上のような問題点に鑑みてなされたものであり、無害で迅速且つ簡単に施工できる床縁部の気密構造を提供することを目的とする。
【０００６】
【課題を解決するための手段】
上記目的を達成するための請求項１の発明は、建物の外気に接する壁が上方と下方の少なくともいずれかに施工される梁の上の内側に設置した床の縁部の気密構造であって、前記縁部の外側面に気密シートを当接させると共に、この気密シートの上端部と下端部を前記縁部の上面側と前記梁にそれぞれ取付け、前記気密シートの下端部と前記梁との間に気密材を介在させたものである。
【０００７】
請求項２の発明は、前記気密シートの上端部と下端部の少なくともいずれかを前記梁の内側面よりも内側へ突出させたものである。
【０００８】
請求項３の発明は、建物の外気に接する壁が上方と下方の少なくともいずれかに施工される梁の上の外側に設置した床の縁部の気密構造であって、前記縁部の内側面に気密シートを当接させると共に、この気密シートの上端部と下端部を前記縁部の上面側と前記梁にそれぞれ取付けたものである。
【０００９】
請求項４の発明においては、前記気密シートの上端部が前記梁の外側面よりも外側へ突出している構造と、前記気密シートの下端部が前記梁の内側面よりも内側へ突出している構造の少なくともいずれかを有する。
【００１０】
請求項５の発明においては、前記気密シートが透湿性を有する。
【００１１】
請求項６の発明は、前記気密シートの下端部と前記梁との間に気密材を介在させたものである。
【００１２】
【発明の実施の形態】
以下、この発明の実施形態を図面に基づいて説明する。
図１に示すように、この実施形態に係る床１の縁部２の気密構造は、建物の外気に接する壁（図示せず）が上方と下方の少なくともいずれかに施工される梁３の上の内側Ａに設置した床１の縁部２の気密構造であって、縁部２の外側面２ｂに気密シート４を当接させ、この気密シート４の下端部４ｄを例えば梁３と縁部２の間に介在させるようにして梁３に取付けると共に、気密シート４の上端部４ｃを縁部２の上面側２ｃに取付けたものである。
【００１３】
梁３は、横断面が例えばＩ形又はＨ形の鉄骨等で構成され、外気に接する壁がこの梁３の上方と下方の少なくともいずれかに施工される。なお、梁３の構成は特に限定されるものではなく、横断面がＩ形又はＨ形の鉄骨製の他、例えば木製の角材等であってもよい。また、床１は、例えばＡＬＣ（autoclaved light weight concrete，軽量気泡コンクリート）パネルや、木製又は金属製等の枠体に適宜の面材を貼付けたパネル等の床パネル１ａを梁３等の上に多数載置等することにより構成されている。
【００１４】
図２に示すように、建物Ｃには、外気に接する壁の施工位置に応じて例えばほぼ図２中の点線で示す範囲の気密ライン５が設定され、この気密ライン５に沿う内側Ａの床１の縁部２に気密シート４が配置される。即ち、梁３には、建物Ｃの外周に配置された外周梁の他、２階部の外周ラインが１階部の外周ラインよりも内側にある場合における２階部の外周ライン上の梁等も含まれる。
【００１５】
上記のようにして気密シート４を配置しておけば、床１の縁部２においても気密性を確保できると共に、無害で迅速且つ簡単に施工できるという利点がある。なお、気密シート４の上端部４ｃは、床パネル１ａの上面１ｃに直接取付けてもよいが、この実施形態のように床パネル１ａの上にパーティクルボード等の床下地材６が施工される場合は、床下地材６に取付けてもよい。
【００１６】
また、気密シート４の上端部４ｃや下端部４ｄは、梁３の内側面３ａよりも内側に突出させておくのが望ましい。この場合、床１の縁部２の上方や下方等に配置される適宜の形状の気密カバー７，８や気密シート等を気密シート４の上端部４ｃや下端部４ｄと密着させることができるので、気密性をより向上できるという利点がある。
【００１７】
ここで、気密シート４の材質は特に限定されるものではなく、ポリエチレンやポリプロピレン等の各種の合成樹脂シート等を使用できるが、例えばポリエチレン繊維シート等から構成されて透湿性を有する場合は、ＡＬＣパネル等の通気性を有する床パネル１ａ等が載置されているときでも、床パネル１ａ等の内部を通過して縁部２まで達した屋内の比較的暖かく湿った空気から、気密シート４を通して水分が外気側に放出されるので、床１の縁部２で結露が発生するのを防止できるという利点がある。
【００１８】
次に、気密シート４の施工方法について説明する。
気密シート４は、下階軸組の工事終了後、床１の工事前に、例えば、図２に示す気密ライン５の出隅部Ｄ等から始めて反時計回りに施工する。
【００１９】
この気密シート４は、例えば２３０ｍｍ×１０５０ｍｍ程度の所定のサイズとしておけばよい。気密シート４の施工に際しては、建築現場で塗布又は吹付けされる接着剤等を使用してもよいが、施工性の点からは、図３及び図４に示すように、別々にはがすことができる２列の離型紙９，１０を有する両面テープ１１等を下端部４ｄにあらかじめ貼付けておくのが望ましい。あるいは、離型紙付きの両面テープを２列に並べて貼付けておいてもよい。
【００２０】
出隅部Ｄに対しては、図３及び図５に示すように、例えば、気密シート４の一端部４ｅ側を２００ｍｍ程度切除し、取付けようとする梁３と直交する梁３のＮ芯ＮＸに合わせる。この場合、２列目（上端部側）の離型紙１０をはがし、１列目の離型紙９の分だけ下端部４ｄが内側Ａに突出するようにして梁３の上に取付ける。
【００２１】
隣接する気密シート４同士は、図６及び図７に示すように、気密シート４の一端部４ｅにあらかじめ貼付けておいた離型紙１２付きの両面テープ１３等で５０ｍｍ程度重合するように取付ければよい。
【００２２】
図８に示すように、床パネル１ａを梁３の上に載置した後において床下地材６を施工する場合には、気密シート４の上端部４ｃは、風の影響防止のために縁部２を横断面コ字形に巻き込むようにして床パネル１ａの上面１ｃにステープル１４等で仮止めしておくのが望ましい。この場合、床下地材６の施工の際には、ステープル１４等を一旦外し、床下地材６を施工してから気密シート４の上端部４ｃを床下地材６にステープル１４等で本止めすればよい。
【００２３】
図２に示す出隅部Ｅ等においては、図９乃至図１２に示すように、気密シート４を取付けてきた梁３と直交する梁３のＮ芯ＮＸで他端部４ｆ側を切除し、次の気密シート４を直角に取付ける。出隅部Ｅでは気密シート４を適当に折り畳むようにすればよい。
【００２４】
図２に示す入隅部Ｆ，Ｇ等においては、図１３及び図１４に示すように、気密シート４を取付けてきた梁３と直交する梁３のＮ芯ＮＹから１００ｍｍ程度残して他端部４ｆ側を切除すると共に、下端部４ｄから気密シート４を取付けてきた梁３のＮ芯ＮＸまでを切り欠いて突出片１５を形成しておき、気密シート４を立ち上げて直角に折曲した状態の突出片１５に次の気密シート４の一端部４ｅをＮ芯ＮＸに合わせて貼付けるようにすればよい。また、この気密シート４の他端部４ｆ側は、２００ｍｍ程度切除しておくのが望ましい。
【００２５】
図１５及び図１６に示すように、梁３の上の内側Ａ、例えば総２階部等の側に床パネル１ａを載置し、梁３の上の外側Ｂ、例えば外気に接する床２１等の側に床パネル２１ａを載置した後は、入隅部Ｆ，Ｇにおける気密シート４の上方に切込みを入れ、上端部４ｃを内側Ａにそれぞれ折曲する。この場合、床パネル１ａ，２１ａが、梁３上に溶接等により突設されたスタッドボルト２３、このスタッドボルト２３の先端に螺合するナット２４、及びこのナット２４の締付けにより床パネル１ａ，２１に押さえ付けられる押さえプレート２５等によって固定される部分においては、気密シート４の上端部４ｃごと固定して本止めとすればよい。
【００２６】
図２に示す入隅部Ｈ等においては、図１７に示すように、入隅部Ｈにおける気密シート４の上方に切込みを入れ、上端部４ｃを内側Ａにそれぞれ折曲した後、ステープル１４等で床パネル１ａに仮止めすればよい。
【００２７】
図２に示す階段室吹抜２６の内隅部Ｊ等においては、図１８乃至図２１に示すように、気密シート４の一端部４ｅを床パネル１ａから所定長さ突出させておき、この突出部分２７を床パネル１ａ側へ折曲する。気密シート４の上端部４ｃと下端部４ｄは、それぞれ床下地材６と梁２８に密着するように折曲すればよい。床パネル１ａと、この床パネル１ａに隣接して梁３の上に載置された断熱内壁枠２９等との隙間３０は、平面視がＬ字形の取付片３１と横断面がＬ字形の閉塞片３２とからなる入隅用のコーナー役物３３、平面視が矩形状の取付片３４と横断面がＬ字形の閉塞片３５とからなる出隅用のコーナー役物３６、及び気密テープ３７等によって閉塞しておくのが望ましい。
【００２８】
また、図２２に示すように、断熱内壁枠２９の上方の断熱内壁枠２９ｃと、梁３の下方の断熱内壁枠２９ｄとの間等も、適宜の形状の気密シート２９ｅ等で閉塞しておくのが望ましい。
【００２９】
図２３乃至図２７に示すように、階段室吹抜２６等の外側Ｂの床パネル２１ａにより構成された例えば外気に接する床２１等の側においては、床２１の縁部４２の内側面４２ａに気密シート４を当接させると共に、この気密シート４の上端部４ｃと下端部４ｄを縁部４２の上面側４２ｃと梁３にそれぞれ取付けておけばよい。この場合、外側Ｂの床２１の縁部４２においても気密性を確保できると共に、無害で迅速且つ簡単に施工できるという利点がある。
【００３０】
ここで、気密シート４の上端部４ｃを梁３の外側面３ｂよりも外側へ突出させたり、下端部４ｄを梁３の内側面３ａよりも内側へ突出させたりしておくのが望ましく、この場合、床２１の縁部４２の上方や下方等に配置される適宜の形状の気密カバー７，８や気密シート２９ｅ等を気密シート４の上端部４ｃや下端部４ｄと密着させることができるので、気密性をより向上できるという利点がある。
【００３１】
床パネル２１ａと、この床パネル２１ａに隣接して梁３の上に載置された断熱内壁枠２９等との隙間４３は、既述のコーナー役物３３，３６や気密テープ３７等によって閉塞しておくのが望ましい。また、気密シート４の上端部４ｃと床下地材６との隙間４４や、外側Ｂの床パネル２１ａと内側Ａの床パネル１ａとの隙間４５等も、気密テープ３７等で閉塞しておくのが望ましい。
【００３２】
なお、図２８に示すように、内側Ａの床１の縁部２においては、気密シート４の下端部４ｄを床パネル１ａ等と梁３との間に介在させないで梁３に取付けてもよい。この場合、気密シート４の下端部４ｄと梁３との間に必要に応じて気密材４６を介在させておけば、気密性をより向上できるという利点がある。また、外側Ｂの床２１の縁部４２でも気密材４６を介在させておけば、同様の利点がある。このような気密材４６としては、例えば、合成樹脂発泡体、ゴム、ゴム発泡体等からなるクッション材等が挙げられる。
【００３３】
また、気密シート４の施工の際には、図２９に示すように、合成樹脂又は鋼鈑等からなる気密シート４をあらかじめ適宜の形状に形成しておくと共に、気密シート４の下端部４ｄに気密材４６を取付けておいてもよい。
【００３４】
更に、図３０及び図３１に示すように、気密シート４を一面が開口した箱状の小口カバー４７等に形成しておき、これを外嵌した床パネル１ａ，２１ａ等を梁３上に載置してもよい。
【００３５】
【発明の効果】
以上のように、請求項１の発明によれば、前記内側の床の縁部の外側面に気密シートを当接させると共に、この気密シートの上端部と下端部を縁部の上面側と梁にそれぞれ取付けているので、床の縁部においても気密性を確保できると共に、無害で迅速且つ簡単に施工できるという利点がある。
【００３６】
請求項２の発明によれば、気密シートの上端部や下端部を梁の内側面よりも内側へ突出させているので、床の縁部の上方や下方に配置される気密カバーや気密シート等を前記気密シートの上端部や下端部と密着させることができ、そのため気密性をより向上できるという利点がある。
【００３７】
請求項３の発明によれば、前記外側の床の縁部の内側面に気密シートを当接させると共に、この気密シートの上端部と下端部を縁部の上面側と梁にそれぞれ取付けているので、階段室吹抜等の外側の床の縁部においても気密性を確保できると共に、無害で迅速且つ簡単に施工できるという利点がある。
【００３８】
請求項４の発明によれば、気密シートの上端部を梁の外側面よりも外側へ突出させたり、下端部を梁の内側面よりも内側に突出させているので、請求項２の効果と同様、床の縁部の上方や下方に配置される気密カバーや気密シート等を前記気密シートの上端部や下端部と密着させることができ、そのため気密性をより向上できるという利点がある。
【００３９】
請求項５の発明によれば、気密シートが透湿性を有するので、床の縁部で結露が発生するのを防止できるという利点がある。
【００４０】
請求項１及び請求項６の発明によれば、気密シートの下端部と梁との間に気密材を介在させているので、気密性をより向上できるという利点がある。
【図面の簡単な説明】
【図１】実施形態に係る床縁部の気密構造を示す要部拡大縦断面図。
【図２】建物の梁伏図。
【図３】出隅部（スタート地点）に気密シートを取付ける様子を示す斜視図。
【図４】図３の気密シートの要部拡大斜視図。
【図５】出隅部（スタート地点）に気密シートを取付けた状態を示す斜視図。
【図６】気密シートを隣接して取付ける様子を示す斜視図。
【図７】気密シートの一端部を隣接する気密シートの他端部に貼付ける様子を示す斜視図。
【図８】気密シートの上端部を床パネルに仮止めする様子を示す斜視図。
【図９】出隅部において気密シートの他端部側を切除する様子を示す斜視図。
【図１０】出隅部において気密シートを直角に取付ける様子を示す斜視図。
【図１１】出隅部において気密シートを立ち上げて折り畳む様子を示す斜視図。
【図１２】気密シートの上端部を床パネルに仮止めした状態を示す斜視図。
【図１３】入隅部において気密シートの他端部側に突出片を形成した状態を示す斜視図。
【図１４】図１３の突出片に気密シートの一端部を貼付ける様子を示す斜視図。
【図１５】梁の内側と外側にそれぞれ床パネルを載置した状態を示す斜視図。
【図１６】気密シートの上端部を内側の床パネルに仮止め又は本止めする様子を示す斜視図。
【図１７】入隅部において気密シートの上端部を床パネルに仮止めする様子を示す斜視図。
【図１８】階段室吹抜の内隅部で気密シートの一端部側の突出部分を床パネル側に折曲する様子を示す斜視図。
【図１９】気密シートの上端部を床パネル側に折曲する様子を示す斜視図。
【図２０】入隅用と出隅用のコーナー役物を取付ける様子を示す斜視図。
【図２１】図２０のコーナー役物や気密テープを取付けた状態を示す斜視図。
【図２２】上方の断熱内壁枠と下方の断熱内壁枠との間を気密シートで閉塞する様子を示す斜視図。
【図２３】階段室吹抜の外側において梁の上に載置した床パネルの縁部に気密シートを取付けた状態を示す要部拡大縦断面図。
【図２４】気密シートの上端部を外側の床パネル側に折曲する様子を示す斜視図。
【図２５】入隅用と出隅用のコーナー役物を取付ける様子を示す斜視図。
【図２６】気密シートの上端部と床下地材との隙間を閉塞するための気密テープを貼付ける様子を示す斜視図。
【図２７】気密シートの上端部と床下地材との隙間、及び内側の床パネルと外側の床パネルとの隙間を閉塞するための気密テープを貼付けた状態を示す斜視図。
【図２８】気密シートの下端部を気密材を介して梁に取付けた例を示す要部拡大縦断面図。
【図２９】図２８の気密シートを取付ける様子を示す要部拡大縦断面図。
【図３０】箱状に形成した気密シートを床パネルに外嵌する様子を示す要部拡大斜視図。
【図３１】図３０の気密シートを外嵌した床パネルを梁上に載置する様子を示す要部拡大縦断面図。
【符号の説明】
１  床
２  縁部
２ｂ  外側面
２ｃ  上面側
３  梁
３ａ  内側面
３ｂ  外側面
Ａ  内側
Ｂ  外側
Ｃ  建物
４  気密シート
４ｃ  上端部
４ｄ  下端部
２１  床
４２  縁部
４２ａ  内側面
４２ｃ  上面側
４６  気密材
４７  小口カバー（気密シート）
【図１】
0004151772.tif 000002
【図２】
0004151772.tif 000003
【図３】
0004151772.tif 000004
【図４】
0004151772.tif 000005
【図５】
0004151772.tif 000006
【図６】
0004151772.tif 000007
【図７】
0004151772.tif 000008
【図８】
0004151772.tif 000009
【図９】
0004151772.tif 000010
【図１０】
0004151772.tif 000011
【図１１】
0004151772.tif 000012
【図１２】
0004151772.tif 000013
【図１３】
0004151772.tif 000014
【図１４】
0004151772.tif 000015
【図１５】
0004151772.tif 000016
【図１６】
0004151772.tif 000017
【図１７】
0004151772.tif 000018
【図１８】
0004151772.tif 000019
【図１９】
0004151772.tif 000020
【図２０】
0004151772.tif 000021
【図２１】
0004151772.tif 000022
【図２２】
0004151772.tif 000023
【図２３】
0004151772.tif 000024
【図２４】
0004151772.tif 000025
【図２５】
0004151772.tif 000026
【図２６】
0004151772.tif 000027
【図２７】
0004151772.tif 000028
【図２８】
0004151772.tif 000029
【図２９】
0004151772.tif 000030
【図３０】
0004151772.tif 000031
【図３１】
0004151772.tif 000032